(57)【特許請求の範囲】
【請求項１】
エレベータの取付壁に設けられたボックスと、
前記ボックスの前面に設けられ、前記ボックス内外に貫通する貫通部を有するとともに、前記ボックスの前面側に意匠面を配置するフェースプレートと、
前記ボックス内に内蔵され、前記エレベータに関する音を発する聴覚信号装置と、
前記ボックス内側から前記フェースプレートの貫通部に嵌め込まれ、外周面に設けられた鍔部が前記ボックス内側から前記フェースプレートの貫通部近傍に引っ掛かって保持され、前記フェースプレートの前面側に前記エレベータに関する情報を表示する表示部と、
を備え、
前記表示部は、前記フェースプレート側に開口して前記鍔部の外縁部から前記外周面まで延びた放音溝が形成され、前記外周面と前記貫通部との間に隙間を空けて嵌め込まれ、前記エレベータに関する音を前記ボックス内から外へ伝達するための経路を、前記放音溝と前記隙間とで確保したことを特徴とするエレベータの表示装置。
【請求項２】
前記ボックスは、前記エレベータの乗場壁に設けられたことを特徴とする請求項１に記載のエレベータの表示装置。
【請求項３】
前記表示部は、前記エレベータの乗場呼び装置の操作部からなることを特徴とする請求項２に記載のエレベータの表示装置。
【請求項４】
前記ボックスは、前記エレベータのかご壁に設けられたことを特徴とする請求項１に記載のエレベータの表示装置。
【発明の詳細な説明】
【技術分野】
【０００１】
この発明は、聴覚信号装置を内蔵したエレベータの表示装置に関するものである。
【背景技術】
【０００２】
従来のエレベータの乗場においては、利用者にエレベータの位置階床や運行方向や到着等の情報を知らせる表示装置として、乗場位置表示器やホールランタン等の視覚信号装置が用いられている。この視覚信号装置は、主に乗場ドア上方付近の壁体に設けられる。また、チャイムや音声案内等を発する聴覚信号装置も用いられている。聴覚信号装置は、昇降路内のドア付近に設置されたり、視覚信号装置に内蔵されたりする。
【０００３】
ここで、聴覚信号装置に関し、乗場にいる利用者に音を聞き取りやすくするために、乗場ドア、壁体、乗場器具等に放音穴を空けたものが提案されている（例えば、特許文献１及び２参照）。
【０００４】
しかし、特許文献１及び２に記載されたものにおいては、放音穴が乗場からよく見え、意匠的に好ましくないという問題があった。
【０００５】
そこで、視覚信号装置に聴覚信号装置を内蔵し、放音穴をあける代わりに、微細穴が形成された部材を表示部に用いるものが提案されている（例えば、特許文献３参照）。さらに、聴覚信号装置を内蔵した視覚信号装置の背面に放音穴を空けることにより、意匠性を保ち、スペーサを利用して壁から上記装置を浮かせて取り付け、音を背面より放出するものが提案されている（例えば、特許文献４参照）。
【先行技術文献】
【特許文献】
【０００６】
【特許文献１】特開平５−１９３８８１号公報
【特許文献２】特開平１０−３０５９７２号公報
【特許文献３】特開２００９−１８４８０３号公報
【特許文献４】特開２００８−２０１４８９号公報
【発明の概要】
【発明が解決しようとする課題】
【０００７】
しかし、特許文献３に記載のものは、表示部に特殊な部材を用いる。このため、コストアップに繋がる可能性があるという問題があった。また、表示部に微細穴が空いている。このため、少なからず、従来の表示部よりも意匠性が悪くなるという問題があった。
【０００８】
また、特許文献４に記載のものは、スペーサを入れて壁体から浮かせて取り付けられる。このため、通常と取付方法が異なり、据付性が悪くなるという問題があった。また、壁体付近から器具を眺めると、放音穴の空いた装置の背面が見えてしまい意匠性に影響が出てくるという問題があった。
【０００９】
この発明は、上述のような課題を解決するためになされたもので、その目的は、聴覚信号装置を内蔵した場合においても、意匠性や据付性を損なうことなく、聴覚信号装置が発した音を聞き取りやすくすることができるエレベータの表示装置を提供することである。
【課題を解決するための手段】
【００１０】
この発明に係るエレベータの表示装置は、エレベータの取付壁に設けられたボックスと、前記ボックスの前面に設けられ、前記ボックス内外に貫通する貫通部を有するとともに、前記ボックスの前面側に意匠面を配置するフェースプレートと、前記ボックス内に内蔵され、前記エレベータに関する音を発する聴覚信号装置と、前記ボックス内側から前記フェースプレートの貫通部に嵌め込まれ、外周面に設けられた鍔部が前記ボックス内側から前記フェースプレートの貫通部近傍に引っ掛かって保持され、前記フェースプレートの前面側に前記エレベータに関する情報を表示する表示部と、を備え、前記表示部は、前記フェースプレート側に開口して前記鍔部の外縁部から前記外周面まで延びた放音溝が形成され、前記外周面と前記貫通部との間に隙間を空けて嵌め込まれ、前記エレベータに関する音を前記ボックス内から外へ伝達するための経路を、前記放音溝と前記隙間とで確保したものである。
【発明の効果】
【００１１】
この発明によれば、聴覚信号装置を内蔵した場合においても、意匠性や据付性を損なうことなく、聴覚信号装置が発した音を聞き取りやすくすることができる。
【図面の簡単な説明】
【００１２】
【図１】この発明の実施の形態１におけるエレベータの表示装置が利用されるエレベータの乗場の正面図である。
【図２】図１の要部拡大図である。
【図３】図２のＡ−Ａ線における断面図である。
【図４】この発明の実施の形態１におけるエレベータの表示装置に利用される表示部の正面図である。
【図５】この発明の実施の形態１におけるエレベータの表示装置に利用される表示部を下方からみた平面図である。
【図６】図４のＢ−Ｂ線における断面図である。
【図７】図３の要部拡大図である。
【図８】この発明の実施の形態２におけるエレベータの表示装置の正面図である。
【図９】この発明の実施の形態３におけるエレベータの表示装置の正面図である。
【図１０】この発明の実施の形態４におけるエレベータの表示装置が利用されるかご内の正面図である。
【発明を実施するための形態】
【００１３】
この発明を実施するための形態について添付の図面に従って説明する。なお、各図中、同一又は相当する部分には同一の符号を付しており、その重複説明は適宜に簡略化ないし省略する。
【００１４】
実施の形態１．
図１はこの発明の実施の形態１におけるエレベータの表示装置が利用されるエレベータの乗場の正面図である。
図１には、一般的なエレベータの乗場が示される。図１において、１は乗場壁体である。この乗場壁体１は、エレベータが設置された建築物の壁体からなる。この乗場壁体１には、乗場の出入口（図示せず）が設けられる。この出入口には、三方枠２が設けられる。また、乗場出入口には、乗場ドア３が設けられる。
【００１５】
さらに、乗場出入口の一側の乗場壁体１には、乗場呼び装置４が埋設される。この乗場呼び装置４には、操作部５が設けられる。また、この乗場呼び装置４の上方では、乗場壁体１に、視覚信号装置Ａ６が埋設される。即ち、乗場壁体１は、エレベータの機器を取り付ける取付壁として利用される。
【００１６】
図２は図１の要部拡大図である。
図２に示すように、視覚信号装置Ａ６の前面には、フェースプレート７が設けられる。このフェースプレート７は、ステンレス等の金属からなる。このフェースプレート７は、前面に意匠面を配置する。また、フェースプレート７は、前後に貫通する一対の貫通部を備える。これらの貫通部には、表示部８が嵌め込まれる。これらの表示部８は、透明や乳白色の樹脂（アクリル等）やガラス等の透過性材料からなる。
【００１７】
図３は図２のＡ−Ａ線における断面図である。
図３において、９はボックスである。このボックス９は、フェースプレート７の裏面側で乗場壁体１に埋設される。このボックス９は、鉄板又は樹脂等で箱形形状に形成される。このボックス９は、視覚信号装置Ａ６に必要な基板、配線等を収納するものである。１０は取付板金である。この取付板金１０は、ボックス９に内蔵される。この取付板金１０は、上下の表示部８に対応して、区切り板により上下に区切られる。
【００１８】
１１は表示体である。この表示体１１は、取付板金１０の上下に分かれて、取付板金１０の内側面に取り付けられる。取付板金１０は、遮光機能を備える。１２は配線である。この配線１２は、表示体１１を外部機器と接続する機能を備える。１３は聴覚信号装置である。この聴覚信号装置１３は、取付板金１０の区切り板の下面に取り付けられる。
【００１９】
かかる構成のエレベータの視覚信号装置Ａ６においては、エレベータを制御する制御装置（図示せず）の指令に従って、表示部８がエレベータに関する情報を表示する。具体的には、表示体１１が点灯し、エレベータの到着及び運転方向を乗場にいる利用者に報知する。また、聴覚信号装置１３は、制御装置の指令に従って、エレベータに関する音を発する。具体的には、聴覚信号装置１３は、到着音や音声案内等の音声信号を発し、各種情報を乗場にいる利用者に報知する。
【００２０】
しかし、聴覚信号装置１３は、視覚信号装置Ａ６に内蔵されている。このため、なんらの工夫がなければ、聴覚信号装置１３が発した音が乗場に伝わりにくい。そこで、本実施の形態においては、聴覚信号装置１３が発した音が乗場に伝わりやすくなる構成とした。以下、本実施の形態における視覚信号装置Ａ６を詳細に説明する。
【００２１】
図４はこの発明の実施の形態１におけるエレベータの表示装置に利用される表示部の正面図である。図５はこの発明の実施の形態１におけるエレベータの表示装置に利用される表示部を下方からみた平面図である。図６は図４のＢ−Ｂ線における断面図である。
【００２２】
図４乃至図６において、１４は鍔部である。この鍔部１４は、表示部８の後ろ側の外周面全体を囲むように設けられる。この鍔部１４は、表示８をフェースプレート７の貫通部に嵌め込む際に、ボックス９の内側からフェースプレート７の貫通部近傍に引っ掛かるように形成される。これにより、表示部８は、フェースプレート７に保持されるようになっている。１５は複数の放音溝である。これらの放音溝１５は、表示部８の前側へ開口して、鍔部１４の外縁部から本体部の外周面まで延びるように形成される。
【００２３】
次に、図７を用いて、聴覚信号装置１３が発した音の乗場への伝達方法について説明する。
図７は図３の要部拡大図である。
図７に示すように、表示部８は、嵌め合いの余裕を見て、フェースプレート７の貫通部との間に全周数ミリの隙間１６を空けて取り付けられる。
【００２４】
このとき、表示部８の鍔部１４前面は、フェースプレート７に接触するように取り付けられる。しかし、上述したように、表示部８の鍔部１４には、放音溝１５が形成されている。その結果、放音溝１５と隙間１６とによって、取付板金１０内から外へ繋がる音声経路１７が形成される。このため、取付板金１０内の聴覚信号装置１３に発せられた音声信号１８は、乗場側まで伝達される。
【００２５】
以上で説明した実施の形態１によれば、聴覚信号装置１３の音声経路１７は、放音溝１５と隙間１６とで確保される。即ち、従来の表示部８に簡単な放音溝１５を形成するだけで、意匠面に穴を空けることなく、音声経路１７を確保することができる。このため、聴覚信号装置１３を内蔵した場合においても、意匠性や据付性を損なうことなく、聴覚信号装置１３が発した音を聞き取りやすくすることができる。
【００２６】
また、乗場や昇降路に聴覚信号装置１３を別途設ける必要がなくなり、省スペース化を図ることができる。さらに、聴覚信号装置１３が乗場に設置されることにより、他の階の利用者に音が漏れることを防止することができる。加えて、乗場ドア３やかごドア等との干渉もないため、音を聞きやすくすることができる。
【００２７】
なお、聴覚信号装置１３を乗場呼び装置４に内蔵し、従来の操作部５に対し、放音溝１５と隙間１６を設けることでも、意匠性や据付性を損なうことなく、聴覚信号装置１３が発した音を聞き取りやすくすることができる。
【００２８】
実施の形態２．
図８はこの発明の実施の形態２におけるエレベータの表示装置の正面図である。なお、実施の形態１と同一又は相当部分には同一符号を付して説明を省略する。
【００２９】
実施の形態１の視覚信号装置Ａ６は、点灯することでエレベータの到着及び運転方向を表示するものであった。一方、実施の形態２の視覚信号装置Ｂ１９は、図８に示すように、ＬＥＤやＬＣＤ等の縦長の表示体１１を用いて、エレベータの位置階床及び運転方向を表示するものである。かかる表示体１１が使用される場合であっても、表示部８の放音溝１５と隙間１６とで、聴覚信号装置１３の音声経路１７を確保することができる。
【００３０】
以上で説明した実施の形態２によっても、実施の形態１と同様に、聴覚信号装置１３を内蔵した場合において、意匠性や据付性を損なうことなく、聴覚信号装置１３が発した音を聞き取りやすくすることができる。
【００３１】
実施の形態３．
図９はこの発明の実施の形態３におけるエレベータの表示装置の正面図である。なお、実施の形態２と同一又は相当部分には同一符号を付して説明を省略する。
【００３２】
実施の形態２の視覚信号装置Ｂ１９は、縦長の表示体１１が使用されていた。一方、実施の形態３の視覚信号装置Ｃ２０は、図９に示すように、横長の表示体１１が使用されている。かかる表示体１１が使用される場合であっても、表示部８の放音溝１５と隙間１６とで、聴覚信号装置１３の音声経路１７を確保することができる。
【００３３】
以上で説明した実施の形態３によっても、実施の形態２と同様に、聴覚信号装置１３を内蔵した場合において、意匠性や据付性を損なうことなく、聴覚信号装置１３が発した音を聞き取りやすくすることができる。
【００３４】
実施の形態４．
図１０はこの発明の実施の形態４におけるエレベータの視覚信号装置が利用されるかご内の正面図である。なお、実施の形態１と同一又は相当部分には同一符号を付して説明を省略する。
【００３５】
実施の形態１においては、乗場の視覚信号装置Ａ６に対し、表示部８の放音溝１５と隙間１６とで、聴覚信号装置１３の音声経路１７を確保する構成とした。一方、実施の形態４においては、図１０に示すように、かご２１の視覚信号装置Ｄ２２に対し、表示部８の放音溝１５と隙間１６とで、聴覚信号装置１３の音声経路１７を確保する構成とした。なお、視覚信号装置Ｄ２２は、かご壁に設けられ、かご２１が通過している階床又は停止している階床と運転方向とを表示するものである。
【００３６】
以上で説明した実施の形態４によっても、実施の形態１と同様に、従来の表示板等に聴覚信号装置１３を内蔵した場合において、意匠性や据付性を損なうことなく、聴覚信号装置１３が発した音を聞き取りやすくすることができる。
【符号の説明】
【００３７】
１  乗場壁体、  ２  三方枠、  ３  乗場ドア、  ４  乗場呼び装置、  ５  操作部、
６  視覚信号装置Ａ、  ７  フェースプレート、  ８  表示部、  ９  ボックス、
１０  取付板金、  １１  表示体、  １２  配線、  １３  聴覚信号装置、  
１４  鍔部、  １５  放音溝、  １６  隙間、  １７  音声経路、  １８  音声信号、
１９  視覚信号装置Ｂ、  ２０  視覚信号装置Ｃ、  ２１  かご、  
２２  視覚信号装置Ｄ
【図１】
0005418234.tif 000002
【図２】
0005418234.tif 000003
【図３】
0005418234.tif 000004
【図４】
0005418234.tif 000005
【図５】
0005418234.tif 000006
【図６】
0005418234.tif 000007
【図７】
0005418234.tif 000008
【図８】
0005418234.tif 000009
【図９】
0005418234.tif 000010
【図１０】
0005418234.tif 000011